(57)【要約】【課題】１人で作業することが出来、且つ足場を組む必要がないようにした重量物の吊り上げ移載装置を提供する。【解決手段】  移動可能とされた基台と、前記基台に立設された支柱と、前記支柱に直交して取り付けられ、水平方向に回動自在とされてなる水平棹と、前記水平棹に沿って摺動可能に前記水平棹に吊り下げられたホイストと、前記ホイストに取り付けられ、前記ホイストにより上下動可能とされてなり、重量物を把持するための把持手段と、を含むようにした。【選択図】図１
0003175648.tif 000002
【実用新案登録請求の範囲】
【請求項１】
移動可能とされた基台と、
前記基台に立設された支柱と、
前記支柱に直交して取り付けられ、水平方向に回動自在とされてなる水平棹と、
前記水平棹に沿って摺動可能に前記水平棹に吊り下げられたホイストと、
前記ホイストに取り付けられ、前記ホイストにより上下動可能とされてなり、重量物を把持するための把持手段と、
を含むことを特徴とする重量物の吊り上げ移載装置。
【請求項２】
前記基台が、自動車の荷台であることを特徴とする請求項１記載の重量物の吊り上げ移載装置。
【請求項３】
前記支柱の下端部が、前記基台に回動自在に取り付けられ、前記支柱の上端部に水平棹が固定されてなることを特徴とする請求項１又は２記載の重量物の吊り上げ移載装置。
【請求項４】
前記基台に取り付けられ、前記支柱の中央部付近を支持する転倒防止手段が取り付けられてなることを特徴とする請求項１〜３いずれか１項記載の重量物の吊り上げ移載装置。
【請求項５】
前記転倒防止手段が、前記支柱の周面にベアリングを介して取り付けられた環状部材であることを特徴とする請求項１〜４いずれか１項記載の重量物の吊り上げ移載装置。
【請求項６】
前記重量物が、コンクリートブロックであることを特徴とする請求項１〜５いずれか１項記載の重量物の吊り上げ移載装置。
【考案の詳細な説明】
【技術分野】
【０００１】
本考案は、重量物の吊り上げ移載装置に係り、特にコンクリートブロックを移載するのに適した重量物の吊り上げ移載装置に関する。
【背景技術】
【０００２】
コンクリートブロックは、コンクリートからなる方形状のコンクリートの塊であるが、その重量はおよそ４０ｋｇ〜５０ｋｇぐらいあり、その移載にあたっては、２人がかりで持ち上げていた。
【０００３】
そして、コンクリートブロックで塀等を作る場合には、徐々にコンクリートブロックを積み上げていく必要がある。１．５ｍ〜２ｍ程度の高さまで持ち上げるには、足場を組んで作業を行っていた。
【０００４】
また、特許文献１には、コンクリートブロックの積み上げにより建造物を構築する場合において、コンクリートブロックの取り扱いを機能的にしたコンクリートブロックの積上げ装置が開示されている。
【０００５】
しかしながら、特許文献１では、支柱が固定されているため、コンクリートブロックを移載できるエリアが限られており、少し離れた現場でコンクリートブロックを使って工事を行う場合には、コンクリートブロックの積み上げ装置を解体して運んでから、再度前記装置を組み立てる必要があった。
【０００６】
また、特許文献１では、固定した支柱と支柱の間をホイストが行き来する構成であるため、構築するコンクリートブロック塀に沿ってコンクリートブロックの積み上げ装置を組み立てる必要があった。
【０００７】
したがって、例えばＬ字形のコンクリートブロック塀を構築しようとすると、一辺を工事する毎にコンクリートブロックの積み上げ装置を解体して運ぶ必要が生じ、やはり１人ではコンクリートブロック塀の構築作業は困難であった。
【先行技術文献】
【特許文献】
【０００８】
【特許文献１】実公平６−２９３６８
【考案の開示】
【考案が解決しようとする課題】
【０００９】
本考案は、上記従来技術の問題点に鑑みてなされたもので、１人で作業することが出来、且つ足場を組む必要がないようにした重量物の吊り上げ移載装置を提供することを目的とする。
【課題を解決するための手段】
【００１０】
上記課題を解決するために、本考案の重量物の吊り上げ移載装置は、移動可能とされた基台と、前記基台に立設された支柱と、前記支柱に直交して取り付けられ、水平方向に回動自在とされてなる水平棹と、前記水平棹に沿って摺動可能に前記水平棹に吊り下げられたホイストと、前記ホイストに取り付けられ、前記ホイストにより上下動可能とされてなり、重量物を把持するための把持手段と、を含むことを特徴とする。
【００１１】
このように、ホイストが水平棹に沿って摺動可能とされており、且つホイストが吊り下げられる水平棹が回動自在に構成されているため、ホイストによって上げ下げされる把持手段によって把持されるコンクリートブロックを支柱からみてＸ方向及びＹ方向の所望の位置に正確に運ぶことが可能となった。このため、例えばＬ字形のコンクリートブロック塀であっても１人で構築が可能となった。
【００１２】
また、前記水平棹は、手動で回動自在とされてなるのが好適である。手動で回動できた方が簡便だからである。
【００１３】
前記基台が、自動車の荷台であるのが好適である。本考案の重量物の吊り上げ移載装置は、普通の運送トラックの荷台に取り付けることが可能であり、普通の運送トラックの荷台に取り付ければ、経費も安価となるという利点がある。また、このようにすれば、車輌搭載型クレーンやクレーン車などを使用する必要がなくなる利点がある。
【００１４】
前記支柱の下端部が、前記基台に回動自在に取り付けられ、前記支柱の上端部に水平棹が固定されてなるのが好適である。なお、前記支柱を前記基台に固定し、前記水平棹が前記支柱に回動自在に取り付けられるようにしてもよい。
【００１５】
前記支柱の下端部が、前記基台に回動自在に取り付けられ、前記支柱の上端部に水平棹が固定される構成とする場合には、前記基台に取り付けられ、前記支柱の中央部付近を支持する転倒防止手段がさらに取り付けられてなるのが好ましい。
【００１６】
前記転倒防止手段としては、前記支柱の周面にベアリングを介して取り付けられた環状部材であるのが好適である。
【００１７】
前記重量物が、コンクリートブロックであるのが好適である。本考案の重量物の吊り上げ移載装置は、特にコンクリートブロックを移載するのに適しているからである。なお、本考案の重量物の吊り上げ移載装置は、コンクリートブロック以外にも、木材や鉄骨などの建築資材やその他の重量物の移載にも使用することができる。本考案の重量物の吊り上げ移載装置は、板塀の積み上げ作業などにも好適に使用できる。
【考案の効果】
【００１８】
本考案によれば、１人で作業することが出来、且つ足場を組む必要がないようにした重量物の吊り上げ移載装置を提供することができるという著大な効果を奏する。
【００１９】
また、本考案によれば、手動で水平棹を回動でき、装置が簡単且つ安価であるという利点も有する。
【００２０】
本考案によれば、ホイストの耐荷重に合わせて１０ｋｇ〜１００ｋｇ程度のものまで、１人で作業できるため、従来と比べておよそ４倍程度の作業効率の向上が実現できる。
【図面の簡単な説明】
【００２１】
【図１】本考案に係る重量物の吊り上げ移載装置の一つの実施の形態を示す側面図である。
【図２】図１の平面図である。
【考案を実施するための形態】
【００２２】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【００２３】
図１及び２において、符号１０は本考案に係る重量物の吊り上げ移載装置の一つの実施の形態を示す。
【００２４】
本考案の重量物の吊り上げ移載装置１０は、移動可能とされた基台１２と、前記基台１２に立設された支柱１４と、前記支柱１４に直交して取り付けられ、水平方向に回動自在とされてなる水平棹１６と、前記水平棹１６に沿って摺動可能に前記水平棹１６に吊り下げられたホイスト１８と、前記ホイスト１８に取り付けられ、前記ホイスト１８により上下動可能とされてなり、重量物１１を把持するための把持手段２０と、を含む構成とされている。
【００２５】
図示例では、重量物１１が、コンクリートブロックである例を示した。
【００２６】
図示例では、前記水平棹１６にはガイドレール２２が設けられており、前記ガイドレール２２に沿ってホイスト１８（図示例では１００Ｖ用のもの）が摺動可能とされている。図１の矢印は、前記ガイドレール２２に沿って摺動可能なホイスト１８の移動範囲を示す。図１の例では、ガイドレール２２に沿って摺動可能なホイスト１８の移動範囲は、２．５ｍである。
【００２７】
なお、ホイスト１８は、ガイドレール２２に沿って摺動可能とされてなればよいものであるから、図示例以外にも、水平棹１６上部に溝を設け前記溝を摺動する滑車にホイスト１８を取り付ける構成などを採用することができることは勿論である。
【００２８】
また、図示例では、前記基台１２は、トラック２４の荷台２６である例を示した。このように、トラック２４の荷台２６に重量物の吊り上げ移載装置１０を取り付けることで、コンクリートブロックなどの重量物を地面に降ろさずに荷台２６からそのまま作業することが可能となる。なお、図において、符号３６はトラック２４のタイヤを示す。
【００２９】
前記基台１２を、軽トラックなどの小さいトラックの荷台にすれば、狭い場所にも入っていけるため、狭い場所でも作業が可能となる。
【００３０】
また、図示例では、支柱１４の下端部が、基台１２である荷台２６に回動自在に取り付けられ、支柱１４の上端部に水平棹１６が固定されてなる構成を示した。支柱１４の下端部を基台１２に回動自在に取り付けるには、公知の種々の機構が採用できる。図示例では、ワッシャ３８を用いて支柱１４の下端部を基台１２に回動自在に取り付けた例を示した。
【００３１】
さらに、前記基台１２に取り付けられ、前記支柱１４の中央部付近を支持する転倒防止手段２７として、前記支柱１４の周面にベアリングを介して環状部材２８が取り付けられている。
【００３２】
なお、符号３０ａ，３０ｂは水平棹１６を支持するための支持フレームである。また、ホイスト１８にはケーブル３２が接続されており、電気的にリモートコントロール可能とされている。ホイスト１８は公知のものを使用できる。また、ホイスト１８としては、荷を上げ下げすることができる装置であれば、図示例以外にも、公知の種々のホイストを使用することができる。
【００３３】
把持手段２０としては、パンタグラフ状のものを示したが、重量物を把持することができるものである限り、公知の種々の把持手段を使用することができる。図１の例では、把持手段２０はホイスト１８にチェーン３４で取り付けられている。
【００３４】
このようにして、図２によく示される如く、ホイスト１８が水平棹１６に沿って摺動可能とされており、且つホイスト１８が吊り下げられる水平棹が回動自在に構成されているため、ホイスト１８によって上げ下げされる把持手段２０によって把持される重量物１１を支柱１４からみてＸ方向及びＹ方向の所望の位置に正確に運ぶことが可能となった。このため、例えばＬ字形のコンクリートブロック塀であっても１人で構築が可能となった。
【００３５】
重量物を吊り上げるので、実際の工事にあたっては、トラック２４の車体が傾くおそれがある。そのような場合には、車体の下にジャッキなどを設け、水平を保つようにすればよい。
【００３６】
本考案の重量物の吊り上げ移載装置１０を使えば、クレーン車などを使用する必要がなくなるため、クレーン車の免許を持っていない人でも作業が可能となり、作業効率が向上する。特に、本考案の重量物の吊り上げ移載装置１０を使えば、コンクリート塀を１人で構築することが可能となる。
【符号の説明】
【００３７】
１０：本考案の重量物の吊り上げ移載装置、１１：重量物、１２：基台、１４：支柱、１６：水平棹、１８：ホイスト、２０：把持手段、２２：ガイドレール、２４：トラック、２６：荷台、２７：転倒防止手段、２８：環状部材、３０ａ，３０ｂ：支持フレーム、３２：ケーブル、３４：チェーン、３６：タイヤ、３８：ワッシャ。
【図１】
0003175648.tif 000003
【図２】
0003175648.tif 000004